(57)【特許請求の範囲】
【請求項１】
笠付ランプと、この笠付ランプが発光する側から載置される載置部を有する内枠と、この内枠を揺動可能に支持する外枠とを備えた照明装置であって、
前記内枠は、前記笠付ランプが挿入される被挿入部を有し、この被挿入部には、笠付ランプを挟んで対向する位置に、略逆向きＴ字状の切り欠きでなる係止部がそれぞれ形成される一方、
押えばねが設けられ、この押えバネは、互いに対向する一対の円弧状の当接部で形成された円形部分と、この円形部分から一方と他方に張り出す張り出し部分とを有し、
前記張り出し部分の一方は、前記両当接部の一方の端部からその張り出し方向に突出する直線状の第１引掛部と、これらの第１引掛部の先端部同士を連結し、上向きに立ち上がって下向きに開口する略コ字状の連結部とで構成され、
前記張り出し部分の他方は、前記両当接部の他方の端部からその張り出し方向に突出する直線状の第２引掛部と、これらの第２引掛部の先端部から折り返すように上方に延びる摘み部とで構成され、
前記内枠の一方の係止部に第１引掛部を引っ掛けることで、係止部に一方の張り出し部分を係止させ、
摘み部を摘んで内側に撓ませながら、内枠の他方の係止部に第２引掛部を引っ掛けることで、係止部に他方の張り出し部分を係止させることにより、笠付ランプが載置部に押し付けられて内枠に固定されるようにしたことを特徴とする照明装置。
【発明の詳細な説明】
【技術分野】
【０００１】
本発明は、笠付ランプを光源として用いた照明装置に関するものである。
【背景技術】
【０００２】
従来、例えば特許文献１に記載されているような、笠付ランプを光源として用いた照明装置が知られている。この笠付ランプは、内側面が反射面として構成された笠部内に電球部が収容されて、一方向に発光するように構成されたものである。
【０００３】
このような照明装置においては、笠付ランプを内枠に固定するとともに、この内枠を外枠で揺動可能に支持して、笠付ランプの光軸方向を変更可能にしたものもある。この照明装置では、内枠に笠付ランプを固定するのに、内枠に設けられた載置部に笠付ランプを発光する側から載置して、その上から２枚の押え板を内枠の揺動軸上でねじ止めすることにより、笠付ランプを揺動軸上の２点で内枠に押し付けるようにしている。
【特許文献１】実開昭５０−７９２９２号公報
【発明の開示】
【発明が解決しようとする課題】
【０００４】
しかしながら、笠付ランプを揺動軸上の２点で内枠に押し付けるだけでは、揺動軸から遠ざかるに連れてその押し付け力が弱くなるため、内枠を揺動させようとして笠付ランプを発光する側から押す場合に、揺動軸から遠い位置を押したときには、笠付ランプが内枠から外れてしまうおそれがある。
【０００５】
本発明は、このような事情に鑑み、笠付ランプのどの位置に力を加えても笠付ランプが内枠から外れ難くすることができる照明装置を提供することを目的とする。
【課題を解決するための手段】
【０００６】
本発明は、笠付ランプと、この笠付ランプが発光する側から載置される載置部を有する内枠と、この内枠を揺動可能に支持する外枠とを備えた照明装置であって、前記内枠は、前記笠付ランプが挿入される被挿入部を有し、この被挿入部には、笠付ランプを挟んで対向する位置に、略逆向きＴ字状の切り欠きでなる係止部がそれぞれ形成される一方、押えばねが設けられ、この押えバネは、互いに対向する一対の円弧状の当接部で形成された円形部分と、この円形部分から一方と他方に張り出す張り出し部分とを有し、前記張り出し部分の一方は、前記両当接部の一方の端部からその張り出し方向に突出する直線状の第１引掛部と、これらの第１引掛部の先端部同士を連結し、上向きに立ち上がって下向きに開口する略コ字状の連結部とで構成され、前記張り出し部分の他方は、前記両当接部の他方の端部からその張り出し方向に突出する直線状の第２引掛部と、これらの第２引掛部の先端部から折り返すように上方に延びる摘み部とで構成され、前記内枠の一方の係止部に第１引掛部を引っ掛けることで、係止部に一方の張り出し部分を係止させ、摘み部を摘んで内側に撓ませながら、内枠の他方の係止部に第２引掛部を引っ掛けることで、係止部に他方の張り出し部分を係止させることにより、笠付ランプが載置部に押し付けられて内枠に固定されるようにしたことを特徴とするものである。
【発明の効果】
【００１０】
本発明によれば、笠付ランプを内枠の載置部に押し付けて固定する押えばねを、互いに対向する一対の円弧状の当接部で形成された円形部分に形成したから、笠付ランプが略全周に亘って十分な力で載置部に押し付けられるようになる。このため、笠付ランプに発光する側のどの位置から力が加えられたとしても、笠付ランプが内枠から外れ難くなる。また、押えばねは、円形部分と、この円形部分から一方と他方に張り出す張り出し部分とでなっているので、従来のように押え板をねじ止めする構成よりも部品点数を低減でき、コストを抑えることができる。
【００１１】
また、内枠に押えばねを係止するための一対の係止部を設けたから、押えばねを両係止部に係止させたり両係止部から外したりすることによって、ワンタッチで笠付ランプを内枠に固定したり内枠から取り外し可能な状態にすることができる。従って、笠付ランプの交換の作業性が良好になる。
【００１３】
さらに、係止部を被挿入部に形成された切り欠きで構成したから、係止部を簡易に形成することができる。
【発明を実施するための最良の形態】
【００１４】
以下、本発明を実施するための最良の形態について、図面を参照しながら詳細に説明する。
【００１５】
図１に、本発明の一実施形態に係る照明装置１０を示す。この照明装置１０は、図２に示すように、天井８に取り付けられるものであり、天井８に埋め込まれるケース１と、このケース１に着脱可能に装着される蓋２とを備えている。なお、本発明の照明装置は、天井８に取り付けられるものに限らず、垂直壁や床等に取り付けられるものであってもよい。また、本明細書では、図１のＸ方向を左右方向、Ｙ方向を前後方向という。
【００１６】
前記ケース１は、左右方向に延びる略直方体箱状をなしていて、下方に開口する開口１１を有している。また、ケース１の前後および左右の側壁には、適所に窓が設けられている。
【００１７】
前記蓋２は、ケース１の開口１１に嵌り込み可能な嵌合部２１と、この嵌合部２１の下端部から外側に広がるつば部２２とを有している。
【００１８】
前記嵌合部２１の左右両端部には、上方に向かって前後方向に広がる略Ｖ字状のキックばね２５が取り付けられている。このキックばね２５は、開口１１の左右の内側面にケース１の左右の側壁が切り起こされることによって形成された前後一対の突出片１２間に挿入されることによって、蓋２をつば部２２がケース１の下端部に当接した状態で、かつ、蓋２を下方に引き出し可能に保持するものである。なお、キックばね２５を前後方向の内側に撓ませれば、蓋２をケース１から取り外したりケース１に取り付けたりすることができる。
【００１９】
また、前記嵌合部２１には、左右のキックばね２５の間に、３つの外枠３が左右方向に並んだ状態で取り付けられている。さらに、各外枠３内には、図３および図４に示すように、内枠４が収容され、この内枠４には、笠付ランプ５が押えばね（付勢部材）６で固定されている。なお、蓋２を含めたこれらの部品３〜６をまとめて灯具セットと呼ぶこともある。
【００２０】
前記外枠３は、上下方向に延びる略円形筒状をなしている。この外枠３には、当該外枠３の中心を通って左右方向に延びる直線上に、一対の貫通孔３５が設けられている。
【００２１】
前記内枠４は、外枠３よりも一回り小さな上下方向に延びる略円形筒状をなしている。この内枠４には、当該内枠４の中心を通って左右方向に延びる直線上に、一対の貫通孔４５が設けられている。そして、内枠４の貫通孔４５と外枠３の貫通孔３５とに図略の揺動軸が差し込まれることにより、内枠４が前記揺動軸を支点として揺動可能な状態で外枠３に支持される。
【００２２】
また、内枠４の内側面の上下方向の略中央には、略全周に亘って内側に張り出す断面が縦長長方形状の張出部が設けられていて、この張出部の上面４１に笠付ランプ５が発光する側から載置されるようになっている。すなわち、張出部の上面４１が笠付ランプ５が載置される載置部４１を構成し、載置部４１よりも上側の部分４４が笠付ランプ５が挿入される被挿入部４４を構成する。
【００２３】
さらに、被挿入部４４には、笠付ランプ５を挟んで対向する位置、すなわち被挿入部４４の中心に対して左右両側位置に、押えばね６を係止するための係止部４２，４３がそれぞれ設けられている。この係止部４２，４３は、被挿入部４４に形成された略逆向きＴ字状の切り欠きで構成されている（図５参照）。
【００２４】
前記笠付ランプ５は、平面視で円形状をなしていて、下向きに発光するように構成されたものであり、下方に向かって拡開しながら開口するドーム状の形状をなし、その内側面が反射面として構成された笠部５２と、この笠部５２内に収容される電球部５１と、笠部５２の開口を塞ぐように配設され、笠部５２の開口から放射される光を集光するレンズ部５３と、笠部５２の上端部に連設された口金部５４とを有している。そして、笠部５２の下端部には、外側に突出するフランジ部５２ａが設けられていて、このフランジ部５２ａが前記載置部４１に載置されるようになっている。また、口金部５４は、ケース１にケーブルによって吊り下げられたソケット７と接続される。
【００２５】
前記押えばね６は、載置部４１に載置された笠付ランプ５の上から内枠４の両係止部４２，４３に跨って係止されることによって、笠付ランプ５を載置部４１に押し付けて内枠４に固定するものである。この押えばね６は、一本の金属製の棒状体が折り曲げ加工等されることによって、略円形の環状に形成されている。
【００２６】
具体的には、押えばね６は、円形部分６Ａと、この円形部分６Ａから左右両側に張り出す張り出し部分６Ｂとを有している。円形部分６Ａの外径は、内枠４の被挿入部４４の内径よりも小さく設定され、円形部分６Ａの内径は、笠付ランプ５の笠部５２の最大径よりも小さく設定されている。このため、円形部分６Ａは、被挿入部４４内に入り込んだ状態で笠付ランプ５の光軸Ｌを中心とする周方向に亘って笠部５２に当接可能となっており、両張り出し部分６Ｂが係止部４２，４３に係止されたときには、笠付ランプ５を下向きに付勢するようになっている。
【００２７】
より詳しくは、前記円形部分６Ａは、互いに対向する一対の円弧状の当接部６１で構成されている。また、前記張り出し部分６Ｂの一方（図例では右側）は、両当接部６１の右端部から右方に突出する直線状の第１引掛部６１ａと、これらの第１引掛部６１ａの先端部同士を連結し、図３〜図５からも明らかなように、上向きに立ち上がって下向きに開口する略コ字状の連結部６２とで構成され、他方（図例では左側）は、両当接部６１の左端部から左方に突出する直線状の第２引掛部６１ｂと、これらの第２引掛部６１ｂの先端部から折り返すように斜め上方に延びる摘み部６３とで構成されている。なお、前側の第１引掛部６１ａと第２引掛部６１ｂ、および後側の第１引掛部６１ａと第２引掛部６１ｂは、同一直線上に位置している。
【００２８】
このように構成された押えばね６で笠付ランプ５を固定するには、次のようにすればよい。
【００２９】
まず、図５（ａ）に示すように、内枠４の被挿入部４４内に笠付ランプ５を発光する側から挿入して、笠付ランプ５を載置部４１に載置する。
【００３０】
次いで、図５（ｂ）に示すように、内枠４の右側の係止部４２（左側の係止部４３であってもよい）に第１引掛部６１ａを引っ掛けて、係止部４２に一方の張り出し部分６Ｂを係止させる。
【００３１】
最後に、図５（ｃ）に示すように、摘み部６３を摘んで内側に撓ませながら、内枠４の左側の係止部４３（一方の張り出し部分６Ｂを左側の係止部４３に係止させた場合には右側の係止部４２）に第２引掛部６１ｂを引っ掛けて、係止部４３に他方の張り出し部分６Ｂを係止させる。これにより、笠付ランプ５が載置部４１に押し付けられて、笠付ランプ５が内枠４に固定される。
【００３２】
逆に、笠付ランプ５を内枠４から取り外すには、前記操作と逆の操作をすればよい。
【００３３】
本実施形態の照明装置１０では、笠付ランプ５を内枠４の載置部４１に押し付けて固定する押えばね６を、笠付ランプ５の光軸Ｌを中心とする周方向に亘って笠部５２に当接可能なように環状に形成したから、笠付ランプ５が略全周に亘って十分な力で載置部４１に押し付けられるようになる。このため、笠付ランプ５に発光する側のどの位置から力が加えられたとしても、笠付ランプ５が内枠４から外れ難くなる。また、押えばね６は、環状に形成されていて一部品となっているので、従来のように押え板をねじ止めする構成よりも部品点数を低減でき、コストを抑えることができる。
【００３４】
さらに、内枠４に押えばね６を係止するための一対の係止部４２，４３を設けたから、押えばね６を両係止部４２，４３に係止させたり両係止部４２，４３から外したりすることによって、ワンタッチで笠付ランプ５を内枠４に固定したり内枠４から取り外し可能な状態にすることができる。従って、笠付ランプ５の交換の作業性が良好になる。
【００３５】
また、押えばね６の円形部分６Ａの内径が被挿入部４４の内径よりも小さく設定されているので、内枠４の揺動時に押え部材６が邪魔にならず、内枠４の十分な揺動範囲を確保することができる。
【００３６】
さらに、係止部４２，４３が被挿入部４４に形成された切り欠きで構成されているので、係止部４２，４３を簡易に形成することができる。
【００３７】
なお、前記実施形態では、笠付ランプ５、内枠４、および外枠３が平面視で円形状である形態を示したが、これら３〜５は、平面視で矩形状または多角形状であってもよい。この場合には、押えばね６を矩形または多角形の環状に形成すればよい。
【図面の簡単な説明】
【００３８】
【図１】本発明の一実施形態に照明装置の分解斜視図である。
【図２】照明装置が天井に取り付けられたときの正面断面図である。
【図３】笠付ランプを装着する部分の分解斜視図であり、（ａ）は下方から見たとき、（ｂ）は上方から見たときを示す。
【図４】笠付ランプを装着する部分の正面断面図である。
【図５】（ａ）〜（ｃ）は、笠付ランプを内枠に固定する方法を説明する説明図である。
【符号の説明】
【００３９】
１    ケース
２    蓋
３    外枠
４    内枠
４１  載置部
４２，４３  係止部
４４  被挿入部
５    笠付ランプ
６    押えばね（付勢部材）
７    ソケット
１０  照明装置
Ｌ    光軸
【図１】
0004626603.tif 000002
【図２】
0004626603.tif 000003
【図３】
0004626603.tif 000004
【図４】
0004626603.tif 000005
【図５】
0004626603.tif 000006